【手続補正書】
【提出日】平成19年1月25日(2007.1.25)
【手続補正１】
【補正対象書類名】特許請求の範囲
【補正対象項目名】全文
【補正方法】変更
【補正の内容】
【特許請求の範囲】
【請求項１】
多数のコンテンツデータを記憶保持する記憶媒体の利用が可能な親機としての第１の装置と、前記親機から転送されたコンテンツデータを再生する機能を有する子機としての第２の装置とからなるコンテンツ利用システムであって、
前記親機としての第１の装置は、
コンテンツデータを前記記録媒体に記録するようにする記録制御手段と、
前記子機としての第２の装置からの再生履歴情報を受け付ける受付手段と、
前記受付手段を通じて受け付けた前記子機としての第２の装置からの前記再生履歴情報を解析し、前記子機としての第２の装置の利用態様を示す情報を生成する情報解析手段と、
前記情報解析手段で生成された前記利用態様を示す情報に基づいて、前記記録媒体に記憶保持されているコンテンツデータの内、前記子機としての第２の装置が利用するであろうコンテンツデータを抽出する抽出手段と、
前記抽出手段により抽出された前記コンテンツデータを、前記子機としての第２の装置に転送する転送手段と
を備え、
前記子機としての第２の装置は、
前記親機からのコンテンツデータを利用する毎に、コンテンツデータの再生履歴情報を生成する履歴生成手段と、
前記履歴生成手段で生成された前記再生履歴情報を前記親機としての第１の装置に転送する再生履歴提供手段と、
前記親機としての第１の装置から供給されるコンテンツデータを受け付けるデータ受付手段と
を備えることを特徴とするコンテンツ利用システム。
【請求項２】
請求項１に記載のコンテンツ利用システムであって、
前記親機としての第１の装置は、
放送信号を受信選局する受信選局手段と、
ユーザーの好みの放送番組の放送信号を受信選局するための選局指示情報を記憶保持する選局指示記憶手段と、
前記受付手段を通じて受け付けた前記子機としての第２の装置からの前記再生履歴情報に基づいて、前記選局指示記憶手段の前記選局指示情報を更新する選局指示更新手段と
を備え、
前記記録制御手段は、前記選局指示記憶手段の前記選局指示情報と予め取得する放送予定情報とに基づいて前記受信選局手段を制御し、受信選局した放送番組の放送信号をコンテンツデータとして前記記録媒体に記録するように制御できるものであることを特徴とするコンテンツ利用システム。
【請求項３】
請求項１に記載のコンテンツ利用システムであって、
前記親機としての第１の装置の前記抽出手段は、前記利用態様を示す情報を解析することによって、前記子機としての第２の装置の利用態様を予測して、前記子機としての第２の装置に転送するコンテンツデータを抽出することを特徴とするコンテンツ利用システム。
【請求項４】
請求項１に記載のコンテンツ利用システムであって、
前記親機としての第１の装置は、
放送信号を受信選局する受信選局手段と、
ユーザーが目的とする放送番組の放送信号を受信選局するための選局指示情報を記憶保持する選局指示記憶手段とを備え、
前記記録制御手段は、前記選局指示記憶手段の前記選局指示情報に基づいて、前記受信選局手段を制御し、受信選局した放送番組を前記記録媒体に記録するように制御できるものであることを特徴とするコンテンツ利用システム。
【請求項５】
多数のコンテンツデータを記憶保持する記憶媒体の利用が可能な親機としての記録再生装置と、前記親機から転送されたコンテンツデータを再生する機能を有する子機としての情報端末装置とからなるコンテンツ利用システムの前記親機としての記録再生装置であって、
コンテンツデータを前記記録媒体に記録するようにする記録制御手段と、
前記子機としての情報端末装置からの再生履歴情報を受け付ける受付手段と、
前記受付手段を通じて受け付けた前記子機としての情報端末装置からの前記再生履歴情報を解析し、前記子機としての情報端末装置の利用態様を示す情報を生成する情報解析手段と、
前記情報解析手段で生成された前記利用態様を示す情報に基づいて、前記記録媒体に記憶保持されているコンテンツデータの内、前記子機としての情報端末装置が利用するであろうコンテンツデータを抽出する抽出手段と、
前記抽出手段により抽出された前記コンテンツデータを、前記子機としての情報端末装置に転送する転送手段と
を備えることを特徴とする記録再生装置。
【請求項６】
請求項５に記載の記録再生装置であって、
放送信号を受信選局する受信選局手段と、
ユーザーの好みの放送番組の放送信号を受信選局するための選局指示情報を記憶保持する選局指示記憶手段と、
前記受付手段を通じて受け付けた前記子機としての情報端末装置からの前記再生履歴情報に基づいて、前記選局指示記憶手段の前記選局指示情報を更新する選局指示更新手段と
を備え、
前記記録制御手段は、前記選局指示記憶手段の前記選局指示情報と予め取得する放送予定情報とに基づいて前記受信選局手段を制御し、受信選局した放送番組の放送信号をコンテンツデータとして前記記録媒体に記録するように制御できるものであることを特徴とする記録再生装置。
【請求項７】
請求項５に記載の記録再生装置であって、
前記抽出手段は、前記利用態様を示す情報を解析することによって、前記子機としての情報端末装置の利用態様を予測して、前記子機としての情報端末装置に転送するコンテンツデータを抽出することを特徴とする記録再生装置。
【請求項８】
請求項５に記載の記録再生装置であって、
放送信号を受信選局する受信選局手段と、
ユーザーが目的とする放送番組の放送信号を受信選局するための選局指示情報を記憶保持する選局指示記憶手段とを備え、
前記記録制御手段は、前記選局指示記憶手段の前記選局指示情報に基づいて、前記受信選局手段を制御し、受信選局した放送番組を前記記録媒体に記録するように制御できるものであることを特徴とする記録再生装置。
【請求項９】
多数のコンテンツデータを記憶保持する記憶媒体の利用が可能な親機としての記録再生装置と、前記親機から転送されたコンテンツデータを再生する子機としての情報端末装置とからなるコンテンツ利用システムの前記情報端末装置であって、
前記親機からのコンテンツデータを利用する毎に、コンテンツデータの再生履歴情報を生成する履歴生成手段と、
前記履歴生成手段で生成された前記再生履歴情報を前記親機としての記録再生装置に転送する再生履歴提供手段と、
前記親機としての記録再生装置から供給されるコンテンツデータを受け付けるデータ受付手段と
を備えることを特徴とする情報端末装置。
【請求項１０】
多数のコンテンツデータを記憶保持する記憶媒体の利用が可能な親機としての第１の装置と、前記親機から転送されたコンテンツデータを再生する子機としての第２の装置とからなるコンテンツ利用システムにおけるシステム制御方法であって、
前記親機としての第１の装置においては、
コンテンツデータを前記記録媒体に記録するようにする記録工程と、
前記子機としての第２の装置の再生履歴情報を取得する取得工程と、
前記取得工程を通じて取得した前記子機としての第２の装置からの前記再生履歴情報を解析し、前記子機としての第２の装置の利用態様を示す情報を生成する情報解析工程と、
前記情報解析工程において生成された前記利用態様を示す情報に基づいて、前記記録媒体に記憶保持されているコンテンツデータの内、前記子機としての第２の装置が利用するであろうコンテンツデータを抽出する抽出工程と、
前記抽出工程において抽出した前記コンテンツデータを、前記子機としての第２の装置に転送する転送工程と
を行い、
前記子機としての第２の装置においては、
前記親機からのコンテンツデータを利用する毎に、コンテンツデータの前記再生履歴情報を生成する生成工程と、
前記生成工程において生成した前記再生履歴情報を前記親機としての第１の装置に提供する提供工程と、
前記親機としての第１の装置から供給されるコンテンツデータを受け付けるコンテンツ受付工程と
を行うことを特徴とするシステム制御方法。
【請求項１１】
請求項１０に記載のシステム制御方法であって、
前記親機としての第１の装置においては、
前記取得工程において取得した前記再生履歴情報に基づいて、選局指示記憶部に記憶保持されているユーザーの好みの放送番組の放送信号を受信選局するための選局指示情報を更新する更新工程を備え、
前記記録工程においては、前記選局指示記憶部の前記選局指示情報と予め取得する放送予定情報とに基づいてチューナ部を制御し、受信選局した放送番組の放送信号をコンテンツデータとして前記記録媒体に記録することができることを特徴とするシステム制御方法。
【請求項１２】
請求項１０に記載のシステム制御方法であって、
前記親機としての第１の装置の前記抽出工程においては、前記利用態様を示す情報を解析することによって、前記子機としての第２の装置の利用態様を予測して、前記子機としての第２の装置に転送するコンテンツデータを抽出することを特徴とするシステム制御方法。
【請求項１３】
請求項１０に記載のシステム制御方法であって、
前記記録工程においては、ユーザーが目的とする放送番組の放送信号を受信選局するために選局指示記憶部に記憶保持されている選局指示情報に基づいてチューナ部を制御し、受信選局した放送番組の放送信号をコンテンツデータとして前記記録媒体に記録することができることを特徴とするシステム制御方法。
【手続補正２】
【補正対象書類名】明細書
【補正対象項目名】発明の名称
【補正方法】変更
【補正の内容】
【発明の名称】コンテンツ利用システム、記録再生装置、情報端末装置およびシステム制御方法
【手続補正３】
【補正対象書類名】明細書
【補正対象項目名】０００１
【補正方法】変更
【補正の内容】
【０００１】
この発明は、例えば、ハードディスクなどの大容量の記録媒体を備えた第１の装置と、携帯情報端末などのコンテンツの再生機能を有する第２の装置とからなるコンテンツ利用システム、このシステムで用いられる装置およびシステム制御方法に関する。
【手続補正４】
【補正対象書類名】明細書
【補正対象項目名】０００２
【補正方法】変更
【補正の内容】
【０００２】
ＨＤＤ（Hard Disk Drive）の大容量化が進み、テレビやラジオなどの放送番組や、ＣＤ（Compact Disc）などのメディアからの大量のデータをＨＤＤに記録する装置がある。このような大容量記録媒体を用いる記録装置においては、例えば放送やインターネットによって提供されるＥＰＧ（Electric Program Guide）などと呼ばれる電子番組表の情報を利用し、ユーザーが目的とする放送番組（コンテンツ）を撮り貯めることができる機能なども提供されており便利である。
【手続補正５】
【補正対象書類名】明細書
【補正対象項目名】００１１
【補正方法】変更
【補正の内容】
【００１１】
上記課題を解決するため、請求項１に記載の発明のコンテンツ利用システムは、
多数のコンテンツデータを記憶保持する記憶媒体の利用が可能な親機としての第１の装置と、前記親機から転送されたコンテンツデータを再生する機能を有する子機としての第２の装置とからなるコンテンツ利用システムであって、
前記親機としての第１の装置は、
コンテンツデータを前記記録媒体に記録するようにする記録制御手段と、
前記子機としての第２の装置からの再生履歴情報を受け付ける受付手段と、
前記受付手段を通じて受け付けた前記子機としての第２の装置からの前記再生履歴情報を解析し、前記子機としての第２の装置の利用態様を示す情報を生成する情報解析手段と、
前記情報解析手段で生成された前記利用態様を示す情報に基づいて、前記記録媒体に記憶保持されているコンテンツデータの内、前記子機としての第２の装置が利用するであろうコンテンツデータを抽出する抽出手段と、
前記抽出手段により抽出された前記コンテンツデータを、前記子機としての第２の装置に転送する転送手段と
を備え、
前記子機としての第２の装置は、
前記親機からのコンテンツデータを利用する毎に、コンテンツデータの再生履歴情報を生成する履歴生成手段と、
前記履歴生成手段で生成された前記再生履歴情報を前記親機としての第１の装置に転送する再生履歴提供手段と、
前記親機としての第１の装置から供給されるコンテンツデータを受け付けるデータ受付手段と
を備えることを特徴とする。
【手続補正６】
【補正対象書類名】明細書
【補正対象項目名】００１２
【補正方法】変更
【補正の内容】
【００１２】
この請求項１に記載のコンテンツ利用システムによれば、親機としての第１の装置と子機としての第２の装置とは、有線や無線によって接続可能とされる。そして、子機としての第２の装置は、親機としての第１の装置の抽出手段によって記録媒体から抽出され、転送手段によって転送されるコンテンツデータを、データ受付手段を通じて受け付けて、これを再生して利用することができるようにされている。
【手続補正７】
【補正対象書類名】明細書
【補正対象項目名】００１３
【補正方法】変更
【補正の内容】
【００１３】
親機としての第１の装置においては、受付手段を通じて受け付けた子機としての第２の装置からの再生履歴情報を情報解析手段により解析することによって、子機の利用態様を示す情報が生成される。そして、親機としての第１の装置の抽出手段においては、生成された当該利用態様を示す情報に基づいて、子機に提供するコンテンツが抽出される。
【手続補正８】
【補正対象書類名】明細書
【補正対象項目名】００１４
【補正方法】変更
【補正の内容】
【００１４】
これにより、親機としての第１の装置においては、子機としての第２の装置の利用態様に応じて、子機としての第２の装置において利用される可能性の高いコンテンツを抽出して、これを子機としての第２の装置に提供することができるようにされる。すなわち、当該システムのユーザーは、煩雑な操作や時間をかけることなくなく、利用する可能性の高いコンテンツのみを子機としての第２の装置に格納し、これを再生して利用することができるようにされる。
【手続補正９】
【補正対象書類名】明細書
【補正対象項目名】００１５
【補正方法】変更
【補正の内容】
【００１５】
また、請求項２に記載の発明のコンテンツ利用システムは、請求項１に記載のコンテンツ利用システムであって、
前記親機としての第１の装置は、
放送信号を受信選局する受信選局手段と、
ユーザーの好みの放送番組の放送信号を受信選局するための選局指示情報を記憶保持する選局指示記憶手段と、
前記受付手段を通じて受け付けた前記子機としての第２の装置からの前記再生履歴情報に基づいて、前記選局指示記憶手段の前記選局指示情報を更新する選局指示更新手段と
を備え、
前記記録制御手段は、前記選局指示記憶手段の前記選局指示情報と予め取得する放送予定情報とに基づいて前記受信選局手段を制御し、受信選局した放送番組の放送信号をコンテンツデータとして前記記録媒体に記録するように制御できるものであることを特徴とする。
【手続補正１０】
【補正対象書類名】明細書
【補正対象項目名】００１６
【補正方法】変更
【補正の内容】
【００１６】
この請求項２に記載の発明のコンテンツ利用システムによれば、親機としての第１の装置の記録制御手段は、選局指示記憶手段に記憶された選局指示情報と放送予定情報とに基づいて、受信選局手段を制御し、ユーザーが好みの放送番組を選局して、これを記録媒体に蓄積することができるようにされている。この選局指示記憶手段に記憶された選局指示情報が、選局指示更新手段によって、子機としての第２の装置からの再生履歴情報に基づいて更新される。
【手続補正１１】
【補正対象書類名】明細書
【補正対象項目名】００１７
【補正方法】変更
【補正の内容】
【００１７】
これにより、ユーザーが子機としての第２の装置を用いて利用したコンテンツの利用履歴に基づいて、選局指示情報が更新され、コンテンツの実際の利用状況に応じて、ユーザーが好む放送番組を自動的に選局して記録媒体に蓄積することができるようにされる。そして、ユーザーの好みに合ったコンテンツをユーザーの手を煩わせることなく子機としての第２の装置に提供することができるようにされる。
【手続補正１２】
【補正対象書類名】明細書
【補正対象項目名】００１８
【補正方法】変更
【補正の内容】
【００１８】
また、請求項３に記載の発明のコンテンツ利用システムは、請求項１に記載のコンテンツ利用システムであって、
前記親機としての第１の装置の前記抽出手段は、前記利用態様を示す情報を解析することによって、前記子機としての第２の装置の利用態様を予測して、前記子機としての第２の装置に転送するコンテンツデータを抽出することを特徴とする。
【手続補正１３】
【補正対象書類名】明細書
【補正対象項目名】００１９
【補正方法】変更
【補正の内容】
【００１９】
この請求項３に記載の発明のコンテンツ利用システムによれば、親機としての第１の装置の抽出手段は、利用態様を示す情報を解析することによって、子機としての第２の装置の利用態様を予測し、この予測結果に基づいて、子機である第２の装置に転送するコンテンツデータを抽出する。これにより、利用頻度の高いコンテンツのジャンルや利用頻度の高い時間帯などの情報から、利用されるであろうコンテンツを正確に特定し、ユーザーの手を煩わせることなく子機としての第２の装置に提供し、これを再生して利用することができるようにされる。
【手続補正１４】
【補正対象書類名】明細書
【補正対象項目名】００２０
【補正方法】変更
【補正の内容】
【００２０】
また、請求項４に記載の発明のコンテンツ利用システムは、請求項１に記載のコンテンツ利用システムであって、
前記親機としての第１の装置は、
放送信号を受信選局する受信選局手段と、
ユーザーが目的とする放送番組の放送信号を受信選局するための選局指示情報を記憶保持する選局指示記憶手段とを備え、
前記記録制御手段は、前記選局指示記憶手段の前記選局指示情報に基づいて、前記受信選局手段を制御し、受信選局した放送番組を前記記録媒体に記録するように制御できるものであることを特徴とする。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】変更
【補正の内容】
【００２２】
この請求項４に記載のコンテンツ利用システムによれば、親機としての第１の装置の記録制御手段は、選局指示記憶手段に記憶された選局指示情報と放送予定情報とに基づいて、受信選局手段を制御し、ユーザーが好みの放送番組を選局して、これを記録媒体に蓄積することができるようにされている。そして、記録媒体に記録された多数のコンテンツの中から、抽出手段によって子機としての第２の装置に提供するコンテンツが抽出されるが、この場合、情報解析手段によって、子機としての第２の装置からの再生履歴情報を解析することによって生成される利用態様を示す情報に基づいて、抽出するコンテンツが選択するようにされる。
【手続補正１７】
【補正対象書類名】明細書
【補正対象項目名】００２３
【補正方法】変更
【補正の内容】
【００２３】
これにより、子機としての第２の装置の利用態様に合致したコンテンツを記録媒体から抽出し、これを子機としての第２の装置に対して、ユーザーの手を煩わせることなく、提供することができるようにされる。
【手続補正１８】
【補正対象書類名】明細書
【補正対象項目名】００２７
【補正方法】変更
【補正の内容】
【００２７】
図１に示すように、この実施の形態のシステムは、親機となるハードディスクレコーダ１００と子機となる携帯情報端末２００とから構成される。このシステムは、この発明のシステム、方法が適用されたものであり、また、ハードディスクレコーダ１００は、この発明の記録再生装置が適用されたものであり、携帯情報端末２００は、この発明の情報端末装置が適用されたものである。
【手続補正１９】
【補正対象書類名】明細書
【補正対象項目名】００２８
【補正方法】変更
【補正の内容】
【００２８】
図１に示すように、ハードディスクレコーダ１００と携帯情報端末２００とは、クレードル３００とデジタルインターフェース（以下、デジタルＩ／Ｆと略称する。）とによって接続される。そして、クレードル３００に携帯情報端末２００をセットするだけで（置くだけで）、ハードディスクレコーダ１００の子機との接続端と、携帯情報端末２００の親機との接続端とを接続し、デジタルＩ／Ｆおよびクレードル３００とを通じて、ハードディスクレコーダ１００と携帯情報端末２００との間において、種々のデータの送受を行うことができるようにしている。
【手続補正２０】
【補正対象書類名】明細書
【補正対象項目名】００７６
【補正方法】変更
【補正の内容】
【００７６】
［携帯情報端末の構成］
図３は、この実施の形態のシステムの携帯情報端末２００の構成を説明するためのブロック図である。この実施の形態の携帯情報端末は、この発明による情報端末装置が適用されたものである。図３に示すように、この実施の形態の携帯情報端末２００は、図１を用いて説形したようにクレードル３００を通じて親機であるハードディスクレコーダ１００に接続するための接続端２０１と、親機との接続を可能にするための親機Ｉ／Ｆ２０２と、データ処理部２０３と、フラッシュメモリ２０４とを備えている。
【手続補正２１】
【補正対象書類名】明細書
【補正対象項目名】０１７３
【補正方法】変更
【補正の内容】
【０１７３】
また、番組に関するデータベース３２の利用方法として、番組に関するデータベースは、上述もしたように、ニュース番組を携帯情報端末２００に転送し、その日のうちに削除された場合、鮮度情報「０」、保存情報「０」となるようにする。そして、親機から子機にコンテンツを転送する場合、鮮度と実際に記録されてから過ぎた日にちの差が小さいものほど優先するようにする。すなわち、鮮度情報が小さく、保存期間が短い場合には、確実に利用される情報であると判断できるからである。
【手続補正２２】
【補正対象書類名】明細書
【補正対象項目名】０１７６
【補正方法】変更
【補正の内容】
【０１７６】
なお、上述した実施の形態においては、親機としてハードディスクレコーダを用いるようにしたが、これに限るものではない。例えば、記録媒体としてブルーレイディスク（Blu-ray Disc）などと呼ばれる大容量光ディスクを用いる記録装置や記録再生装置にこの発明の親機にかかる装置を適用することができる。すなわち、用いられる記録媒体は、ハードディスクに限るものではなく、光ディスク、光磁気ディスク、磁気ディスク、半導体メモリなどの種々のものを用いる記録装置、記録再生装置にこの発明の親機にかかる装置を適用することができる。
【手続補正２３】
【補正対象書類名】明細書
【補正対象項目名】０１７７
【補正方法】変更
【補正の内容】
【０１７７】
また、上述した実施の形態においては、子機としての携帯情報端末は、フラッシュメモリを記録媒体として用いるものとして説明したが、これに限るものではない。その他の半導体メモリを用いたり、あるいは、ブルーレイディスクなどの光ディスクや光磁気ディスク、磁気ディスクなどを用いたりする携帯情報端末に、この発明の子機に係る装置を適用することが可能である。
【手続補正２４】
【補正対象書類名】明細書
【補正対象項目名】０１８６
【補正方法】変更
【補正の内容】
【０１８６】
【図１】この発明のシステムの一実施の形態が適用されたコンテンツ利用システムの構成を説明するための図である。
【図２】この発明の親機に係る装置の一実施の形態が適用されたハードディスクレコーダ１００を説明するためのブロック図である。
【図３】この発明の子機に係る装置の一実施の形態が適用された携帯情報端末２００を説明するためのブロック図である。
【図４】ハードディスクレコーダ１００で管理される情報について説明するための図である。
【図５】携帯情報端末２００で管理される情報について説明するための図である。
【図６】好みデータベースを説明するための図である。
【図７】記録履歴データを説明するための図である。
【図８】タイムデータベースを説明するための図である。
【図９】番組に関するデータベースを説明するための図である。
【図１０】再生状況データを説明するための図である。
【図１１】ハードディスクレコーダ１００の動作を説明するためのフローチャートである。
【図１２】携帯情報端末２００の動作を説明するためのフローチャートである。
【図１３】ハードディスクレコーダ１００で実行されるタスクについて説明するための図である。